(57)【要約】【課題】任意の位置に固定でき、電波障害をなくすことができる中継コネクタを提供する。【解決手段】端部にコネクタ７、９を有する２つのハーネス８、１０の間にセットすることにより、両ハーネス間の信号の受け渡しを行う中継コネクタ１において、外壁が磁性体５０で形成され、左右のコネクタ嵌合部２、３と、取り付け基板６−１の穴６に嵌合される係止頭４と、係止頭４が取り付け基板６−１の穴６に嵌合された状態で係止頭４との間に取り付け基板６−１を挟持するストッパー部５とを有する。【選択図】      図１
2004273123.tif 000002
【特許請求の範囲】
【請求項１】
端部にコネクタを有する２つのハーネスの間にセットすることにより、両ハーネス間の信号の受け渡しを行う中継コネクタにおいて、外壁が磁性体で形成され、左右のコネクタ嵌合部と、取り付け基板の穴に嵌合される係止頭と、係止頭が取り付け基板の穴に嵌合された状態で係止頭との間に取り付け基板を挟持するストッパー部とを有することを特徴とする中継コネクタ。
【請求項２】
請求項１記載の中継コネクタにおいて、左右のコネクタ嵌合部は、それぞれ対応して複数形成されていることを特徴とする中継コネクタ。
【請求項３】
請求項１記載の中継コネクタにおいて、左右のコネクタ嵌合部は、いずれか一方が複数で他方が単一であり、複数のハーネスのディジー接続を可能としたことを特徴とする中継コネクタ。
【発明の詳細な説明】
【０００１】
【発明の属する技術分野】
本発明は、端部にコネクタを有する２つのハーネスの間にセットすることにより、両ハーネス間の信号の受け渡しを行う中継コネクタに関する。
【０００２】
【従来の技術】
例えば、特許文献１には、コネクタ取付板に中継コネクタを取り付け、その中継コネクタを介してコネクタ取付板の前側のコネクタと後側のコネクタを接続する電子機器のコネクタ接続部において、手前側の一方向から中継コネクタに対する後側コネクタの差込みを容易として取付けの作業性を向上させる技術が開示されている。
【特許文献１】特開平８−７６５３７６号公報
【０００３】
【発明が解決しようとする課題】
中継コネクタを固定して使用する時は、板金に中継コネクタが通れる程の穴を空け、中継コネクタを途中までその穴に通した時に中継コネクタ上の掛止爪部が板金にロックされるようにするパネルマウント方式が一般的に使用されている。
しかしこの方式では中継コネクタを固定して使用できる場所が限定されるという問題がある。またこれとは別にハーネスから妨害波を発生することにより、その付近に設置された電子機器に電波障害を引き起こすという問題がある。また現状では同じ場所に複数の中継コネクタを固定できないという問題がある。さらにディジー接続ができる中継コネクタが無いという問題ある。
本発明は、任意の位置に固定でき、電波障害をなくすことができる中継コネクタを提供することを第１の目的とする。
また左右それぞれ複数のハーネスに対応することができる中継コネクタを提供することを第２の目的とする。
さらにディジー接続機能を有する中継コネクタを提供することを第３の目的とする。
【０００４】
【課題を解決するための手段】
上記第１の目的を達成するために、請求項１記載の発明は、端部にコネクタを有する２つのハーネスの間にセットすることにより、両ハーネス間の信号の受け渡しを行う中継コネクタにおいて、外壁が磁性体で形成され、左右のコネクタ嵌合部と、取り付け基板の穴に嵌合される係止頭と、係止頭が取り付け基板の穴に嵌合された状態で係止頭との間に取り付け基板を挟持するストッパー部とを有する中継コネクタを最も主要な特徴とする。
上記第２の目的を達成するために、請求項２記載の発明は、請求項１記載の中継コネクタにおいて、左右のコネクタ嵌合部は、それぞれ対応して複数形成されている中継コネクタを主要な特徴とする。
上記第３の目的を達成するために、請求項３記載の発明は、請求項１記載の中継コネクタにおいて、左右のコネクタ嵌合部は、いずれか一方が複数で他方が単一であり、複数のハーネスのディジー接続を可能とした中継コネクタを主要な特徴とする。
【０００５】
【発明の実施の形態】
以下、本発明の実施の形態を図面に従って説明する。
図１は本発明の第１の実施の形態に係る中継コネクタの斜視図、図２は同じく要部断面図である。
中継コネクタ１は、コネクタ（左）７と嵌合するコネクタ嵌合部（左）２、及びコネクタ（右）９と嵌合するコネクタ嵌合部（右）３、下部に位置する係止頭４、ストッパー部５からなる。またコネクタ（左）７はハーネス（左）８の一端に取り付けられ、同様にコネクタ（右）９はハーネス（右）１０の一端に取り付けられている。
コネクタ嵌合部（左）２及びコネクタ嵌合部（右）３は中継コネクタ１内で導通しているため、コネクタ（左）７とコネクタ嵌合部（左）２及びコネクタ（右）９とコネクタ嵌合部（右）３を嵌合した時、ハーネス（左）８とハーネス（右）１０は導通する。また図２に示すように、中継コネクタ１はその外壁が磁性体５０で構成されている。
この中継コネクタ１の係止頭４を係止頭４に対応した穴６（取り付け基板６−１に形成されている）にセットすると、取り付け基板６−１穴６を係止頭４及びストッパー部５で挟持することになり、これにより中継コネクタ１が固定される。
本実施の形態により、ハーネスからの妨害波の発生を防止し、かつ係止頭４に対応した穴６を用意すれば、どこでも中継コネクタ１を固定することができる。
【０００６】
図３は本発明の第２の実施の形態に係る中継コネクタの斜視図、図４は同じく内部結線状態を示す図である。中継コネクタ１１は、コネクタ（左上）１８と嵌合するコネクタ嵌合部（左上）１２、コネクタ（左下）１９と嵌合するコネクタ嵌合部（左下）１３、コネクタ（右上）２２と嵌合するコネクタ嵌合部（右上）１４、コネクタ（右下）２３と嵌合するコネクタ嵌合部（右下）１５、更に第１の実施の形態と同様に係止頭１６、ストッパー部１７からなる。また符号２０、２１、２４、２５はハーネスで、２６は係止頭１６に対応した穴、２６−１は取り付け基板である。
また図４に示すように、コネクタピン２７によりコネクタ嵌合部（左上）１２とコネクタ嵌合部（右上）１４、及びコネクタ嵌合部（左下）１３とコネクタ嵌合部（右下）１５が導通状態になっている。
中継コネクタ１１の固定構造は第１の実施の形態と同様である。また図４の内部結線状態により各コネクタを嵌合した時に、ハーネス２０とハーネス２４及びハーネス２１とハーネス２５がそれぞれ導通する。
本実施の形態により、第１の実施の形態の機能に加え、複数のハーネスを１つの中継コネクタ１１で接続することができる。
【０００７】
図５は本発明の第３の実施の形態に係る中継コネクタの斜視図、図６は同じく内部結線状態を示す図である。中継コネクタ３０は、コネクタ（左上）３６と嵌合するコネクタ嵌合部（左上）３１、コネクタ（左下）３７と嵌合するコネクタ嵌合部（左下）３２、コネクタ（右）４０と嵌合するコネクタ嵌合部（右）３３、更に第１の実施の形態と同様に係止頭３４、ストッパー部３５からなる。また符号３８、３９、４１はハーネスで、４２は係止頭に対応した穴、４２−１は取り付け基板である。
図６に示すように、コネクタピン４３によりコネクタ嵌合部（右）３３からの信号がコネクタ嵌合部（左上）３１及びコネクタ嵌合部（左下）３２に導通する。
中継コネクタ３０の固定構造は第１の実施の形態と同様である。また図６の内部結線状態により各コネクタを嵌合した時に、ハーネス４１の信号がハーネス３８及びハーネス３９に導通される。
本実施の形態により、第１の実施の形態の機能に加え、ディジー接続機能を持つ中継コネクタ３１を実現することができる。
【０００８】
【発明の効果】
請求項１記載の発明によれば、任意の位置に固定でき、電波障害をなくすことができる中継コネクタを提供することができる。
請求項２記載の発明によれば、左右それぞれ複数のハーネスに対応することができる中継コネクタを提供することができる。
請求項３記載の発明によれば、ディジー接続機能を有する中継コネクタを提供することができる。
【図面の簡単な説明】
【図１】本発明の第１の実施の形態に係る中継コネクタの斜視図。
【図２】本発明の第１の実施の形態に係る中継コネクタの要部断面図。
【図３】本発明の第２の実施の形態に係る中継コネクタの斜視図。
【図４】本発明の第２の実施の形態に係る中継コネクタの内部結線状態を示す図。
【図５】本発明の第３の実施の形態に係る中継コネクタの斜視図。
【図６】本発明の第３の実施の形態に係る中継コネクタの内部結線状態を示す図。
【符号の説明】
１  中継コネクタ、２  コネクタ嵌合部（左）、３  コネクタ嵌合部（右）、４  係止頭、５  ストッパー部、６  穴、６−１  取り付け基板、７  コネクタ（左）、８  ハーネス（左）、９  コネクタ（右）、１０  ハーネス（右）、５０  磁性体
【図１】
2004273123.tif 000003
【図２】
2004273123.tif 000004
【図３】
2004273123.tif 000005
【図４】
2004273123.tif 000006
【図５】
2004273123.tif 000007
【図６】
2004273123.tif 000008